(57)【要約】【課題】トラクタカバーを用いずに，ピンベルトのスプロケットピンと送り孔が係合した連続用紙の浮き上がりを防止できるトラクタ装置を提供する。【解決手段】本実施形態に係るトラクタ装置１は，連続用紙３の送り孔３０と係合するスプロケットピン１０ａを複数設けたピンベルト１０と，ピンベルト１０のスプロケットピン１０ａと送り孔３０が係合した連続用紙３を裏側から支え，連続用紙３の送り孔３０と係合するピンベルト１０のスプロケットピン１０ａが当たる部分にピンベルト用の窓１１ｂを加工した板状のガイド部材１１を備え，ガイド部材１１に加工したピンベルト用の窓１１ｂの両側に，連続用紙３に裏面方向の吸引力を与える複数の吸引孔１１ａを加工し，減圧装置１２により吸引孔１１ａ内を減圧するように構成されている。【選択図】図１
2017087573.tif 000002
【特許請求の範囲】
【請求項１】
連続用紙の送り孔と係合するスプロケットピンを複数設けたピンベルトと，前記ピンベルトの前記スプロケットピンと前記送り孔が係合した前記連続用紙を裏側から支え，前記連続用紙の前記送り孔と係合する前記ピンベルトの前記スプロケットピンが当たる部分にピンベルト用の窓を加工した板状のガイド部材を備え，前記ピンベルト用の窓の両側に，前記連続用紙に裏面方向の吸引力を与える複数の吸引孔を加工し，減圧装置により前記吸引孔内を減圧するように構成したことを特徴とするトラクタ装置。
【発明の詳細な説明】
【技術分野】
【０００１】
本発明は，ピンベルトにより搬送される連続用紙の浮き上がりを防止する発明である。
【背景技術】
【０００２】
送り孔を両側に加工した連続用紙の印刷に用いるラインプリンタは，特許文献１で開示されているように，感光ドラム上に形成したトナー像を連続用紙に転写するように構成され，連続用紙を搬送するための機構としてトラクタ機構を備えている。
【０００３】
トラクタ機構は，連続用紙の送り孔と係合するスプロケットピンが複数設けられ，スプロケットピンを移動させることで連続用紙を搬送するピンベルトと，ピンベルトのスプロケットピンと送り孔が係合した連続用紙を上方向から押さえ，連続用紙の浮き上がりを防止するトラクタカバーとから少なくとも構成され，特許文献１で開示されている考案では，連続用紙に付着した紙粉を吸引除去する機構を，感光ドラムの入口側に設置したトラクタ機構と感光ドラムの間に設けている。
【０００４】
ラインプリンタで印刷する連続用紙は，トラクタ機構によって両側が挟み込まれた状態で搬送されるため，トラクタ機構のトラクタカバーと連続用紙が接触する内側に印刷可能範囲が制限を受けてしまう。感光ドラムを利用したラインプリンタではないが，連続用紙の印刷可能範囲が制限を受けないようにする発明として，インクジェット式印刷ヘッドの少なくとも直下位置を通過する連続用紙を用紙搬送面に吸引する吸引機構を設けた発明が特許文献２で開示されている。
【０００５】
トラクタ装置により連続用紙を搬送するラインプリンタにおいても，特許文献２で開示されている発明と同様に，連続用紙の印刷可能範囲を広げることが望ましいが，連続用紙の印刷可能範囲が制約される要因（トラクタ機構のトラクタカバーと連続用紙の接触）が特許文献２の要因（インクジェット式印刷ヘッドからの距離のばらつき）と異なるため，特許文献２で開示されている発明をラインプリンタに適用できない。また，特許文献１で開示されている考案のように吸引機構を設置しても，連続用紙の印刷可能範囲が制約される要因を解消できない。
【先行技術文献】
【特許文献】
【０００６】
【特許文献１】実開平４−９４６６６号公報
【特許文献２】特開２００２−１０３７０５号公報
【発明の概要】
【発明が解決しようとする課題】
【０００７】
そこで，本発明は，トラクタカバーを用いずに，ピンベルトのスプロケットピンと送り孔が係合した連続用紙の浮き上がりを防止できるトラクタ装置を提供することを課題とする。
【課題を解決するための手段】
【０００８】
上述した課題を解決する本発明は，連続用紙の送り孔と係合するスプロケットピンを複数設けたピンベルトと，前記ピンベルトの前記スプロケットピンと前記送り孔が係合した前記連続用紙を裏側から支え，前記連続用紙の前記送り孔と係合する前記ピンベルトの前記スプロケットピンが当たる部分にピンベルト用の窓を加工した板状のガイド部材を備え，前記ピンベルト用の窓の両側に，前記連続用紙に裏面方向の吸引力を与える複数の吸引孔を加工し，減圧装置により前記吸引孔内を減圧するように構成したことを特徴とするトラクタ装置である。
【発明の効果】
【０００９】
上述した本発明によれば，トラクタカバーを用いずに，ピンベルトのスプロケットピンと送り孔が係合した連続用紙の浮き上がりを防止できるトラクタ装置を提供できる。
【図面の簡単な説明】
【００１０】
【図１】トラクタ装置を説明する図。
【図２】連続用紙を説明する図。
【図３】トラクタ装置をラインプリンタに適用した例を説明する図。
【発明を実施するための形態】
【００１１】
ここから，本発明の好適な実施形態を記載する。なお，以下の記載は本発明の技術的範囲を束縛するものでなく，理解を助けるために記述するものである。
【００１２】
図１は，本実施形態に係るトラクタ装置１を説明する図で，図２は，連続用紙３を説明する図である。図２に図示したように，連続用紙３の両側には送り孔３０が等間隔を開けて加工されており，本実施形態に係るトラクタ装置１は，連続用紙３の送り孔３０と係合するスプロケットピン１０ａを複数設けたピンベルト１０と，ピンベルト１０のスプロケットピン１０ａと送り孔３０が係合した連続用紙３を裏側から支え，連続用紙３の送り孔３０と係合するピンベルト１０のスプロケットピン１０ａが当たる部分にピンベルト用の窓１１ｂを加工した板状のガイド部材１１を備え，ガイド部材１１に加工したピンベルト用の窓１１ｂの両側に，連続用紙３に裏面方向の吸引力を与える複数の吸引孔１１ａを加工し，減圧装置１２により吸引孔１１ａ内を減圧するように構成されている。
【００１３】
本実施形態では，ガイド部材１１に加工したピンベルト用の窓１１ｂは長円の形状をなしており，ピンベルト用の窓１１ｂの片側それぞれに一列に並んだ状態の吸引孔１１ａを加工し，一列に並んだ状態の吸引孔１１ａをカバーするように，減圧装置１２のダクト１２ａをガイド部材１１の裏側に設置している。なお，ピンベルト用の窓１１ｂの片側に加工する吸引孔１１ａは複数列の状態であっても構わない。
【００１４】
このように本実施形態に係るトラクタ装置１を構成することで，トラクタ装置１を用いて連続用紙を搬送する際，連続用紙３の送り孔３０と係合するピンベルト１０のスプロケットピン１０ａ付近の空気は減圧装置１２のダクト１２ａにより吸引され，連続用紙３がガイド部材１１に引き寄せられる格好になるため，トラクタカバーを用いずとも，連続用紙３の浮き上りやスプロケットピン１０ａからの連続用紙３の外れを防止できる。なお，吸引孔１１ａの吸引力が強過ぎると，連続用紙３とガイド部材１１間の摩擦力が強くなり連続用紙３が破れるため，連続用紙３の搬送に支障が生じない程度に減圧装置１２の減圧力を調整することが必要である。
【００１５】
また，本実施形態に係るトラクタ装置１はトラクタカバーを用いないため，感光ドラムによって連続用紙３に転写したトナーと接触する物がなく，本実施形態に係るトラクタ装置１を感光ドラムの下流に配置すれば，連続用紙３の印刷可能範囲を広げることができる。更に，本実施形態に係るトラクタ装置１は，ガイド部材１１の吸引孔１１ａを利用して空気を吸引するため，本実施形態に係るトラクタ装置１を感光ドラムの上流に配置すれば，感光ドラムを用いて印刷する連続用紙３から，送り孔３０を加工する際に付着した紙粉を除去できる効果も得られる。
【００１６】
図３は，本実施形態に係るトラクタ装置１をラインプリンタ２に適用した例を説明する図である。図３では，ラインプリンタ２が本来備えるトラクタ機構の箇所を拡大して図示している。ラインプリンタ２が本来備えるトラクタ機構は，片開き式のトラクタカバー２３を利用する機構で，このトラクタ機構のガイド部材２１に吸引孔２１ａを加工することで，本実施形態に係るトラクタ装置１を実現している。片開き式のトラクタカバー２３は，複数のスプロケットピン２０ａを有するピンベルト２０により搬送する連続用紙３の送り孔３０の両側をガイド部材２１に押し付ける用紙押さえ部２３ａを有し，トラクタカバー２３の用紙押さえ部２３ａが連続用紙３と接触するガイド部材２１の箇所に等間隔を開けて複数の吸引孔２１ａを加工し，ガイド部材２１の裏側には，吸引孔２１ａをカバーするように減圧装置のダクト２２を設置している。なお，図３において，片開き式のトラクタカバー２３を取り外していないのは，トラクタカバー２３を用いた連続用紙３の搬送も実施できるようにしておくためである。
【符号の説明】
【００１７】
１    トラクタ装置
１０  ピンベルト
１０ａ  スプロケットピン
１１  ガイド部材
１１ａ  吸引孔
１１ｂ  ピンベルト用の窓
１２  減圧装置
１２ａ  ダクト
３    連続用紙
３０  送り孔
【図１】
2017087573.tif 000003
【図２】
2017087573.tif 000004
【図３】
2017087573.tif 000005